(57)【要約】【課題】  現場設置し易く、ブラストホースの取り回しを円滑に行うことができ、ひいてはブラストメディアの消耗を抑え、結果的にコンパクトなサンドブラスト装置を実現することを技術課題としたものである。【解決手段】  本発明のサンドブラスト装置Ａは、支持架台１と、メディアタンク２と、エア供給配管３とを具え、メディアタンク２内のブラストメディアＭをタンク内の圧力を併用しながらブラストホース５先端からブラストメディアＭを噴出させ、被加工物（墓石８）に衝突させて所望の加工を行う装置において、前記支持架台１は、基部架台１１とこの基部架台１１に対し、偏向回転自在に設けられる可動架台１２とを具え、この可動架台１２によって、前記ブラストメディアＭと前記エア供給配管３とを支持し、これによってメディアタンク２とエア供給配管３とを基部架台１１に対し偏向回転自在に構成したことを特徴として成るものである。【選択図】図１
2010240763.tif 000002
【特許請求の範囲】
【請求項１】
支持架台と、この支持架台に支持されるメディアタンクと、エアコンプレッサからの高圧空気を受け入れ、前記メディアタンク及びブラストホースに高圧空気を供給するエア供給配管とを具え、メディアタンク内のブラストメディアをメディアタンク内の圧力を併用しながらブラストホースへ吸引取込をしてブラストホース先端のブラストノズルからブラストメディアを噴出させ、被加工物に衝突させて所望の加工を行う装置において、
前記支持架台は、基部架台とこの基部架台に対し、偏向回転自在に設けられる可動架台とを具え、この可動架台によって、前記ブラストメディアと前記エア供給配管とを支持し、これによってメディアタンクとエア供給配管とを基部架台に対し偏向回転自在に構成したことを特徴とするサンドブラスト装置。
【請求項２】
前記メディアタンクとエア供給配管とは、平面投影状態において支持架台より張り出さないように配設されていることを特徴とする前記請求項１記載のサンドブラスト装置。
【請求項３】
前記メディアタンクからのブラストメディアの吸い出し位置は、平面投影状態でのメディアタンク中央より偏寄した位置であることを特徴とする前記請求項１または２記載のサンドブラスト装置。
【請求項４】
前記メディアタンクは、細長の管状であり、且つこのものが傾斜状態に配設されていることを特徴とする前記請求項１、２または３記載のサンドブラスト装置。
【請求項５】
前記基部架台は、ほぼ円盤状であり、その一部の周縁を切り欠いた切欠部を有することを特徴とする前記請求項１、２、３または４記載のサンドブラスト装置。
【発明の詳細な説明】
【技術分野】
【０００１】
本発明は、サンドブラスト装置に関するものであって、特に既設の墓石に対し、新たな墓誌等を刻む際に好適なサンドブラスト装置の新規な構造に係るものである。
【背景技術】
【０００２】
墓石に刻まれる墓碑名、墓誌は、墓石を新規に建立する場合には、墓石の加工工場において予めそれらの加工作業が行われるものであり、設備が整った環境であるから特段の支障は生じていない。しかしながら既設の墓石に対し、新たな物故者のための墓誌を刻む場合には、作業者が墓地の現場に赴き、加工作業を行わなくてはならない。このため、加工に要するサンドブラスト装置は、現場へ搬入することを考慮し、可搬式の小型のものが用意されている（特許文献１）。
ところで、このような墓誌、墓碑名の追加作業は、墓石側面や背面、具体的には墓石の竿石の側面や背面に対して施されるため、特に隣の墓石が接近したりしている状況下では、その作業が極めて行いにくく、従来のサンドブラスト装置では必ずしも作業のし易さに関し、十分な工夫がされているとは言い難かった。
すなわちこの種の墓石加工を主たる対象としたサンドブラスト装置は、例えば実公平７−１３９６９号（特許文献１）に示すように比較的小型のメディアタンクを三本の支脚で支持し、各支脚のメディアタンクとの固定位置を調整自在とし、作業現場が不整地であっても装置を安定した状態に設置することができるようにしたものである。しかしながら現実には、作業の進行により設置位置を変える必要が生じたり、一旦設置した状態とブラスト作業を直接行うホースの引き出し方向が不自然となって作業がやり難くなる状態が生じることが指摘されている。加えて、作業が行い難い状況下では、サンドブラスト装置の操作に円滑さを欠き、結果的にはブラストメディアの無駄が生じることも予想され、これに対応して従来のメディアタンクは、小型化されているとはいえ、未だその容量も大きく持ち運びには一定の労力を要していた。
【先行技術文献】
【特許文献】
【０００３】
【特許文献１】実公平７−１３９６９号公報
【発明の概要】
【発明が解決しようとする課題】
【０００４】
本発明は、これらの種々の背景を考慮してなされたものであって、まず現場設置がし易く、ブラストホースの取り回しを円滑に行うことができ、ひいてはブラストメディアの消耗を抑え、結果的にコンパクトなサンドブラスト装置を実現することを技術課題としたものである。
【課題を解決するための手段】
【０００５】
請求項１記載のサンドブラスト装置は、支持架台と、この支持架台に支持されるメディアタンクと、エアコンプレッサからの高圧空気を受け入れ、前記メディアタンク及びブラストホースに高圧空気を供給するエア供給配管とを具え、メディアタンク内のブラストメディアをメディアタンク内の圧力を併用しながらブラストホースへ吸引取込をしてブラストホース先端のブラストノズルからブラストメディアを噴出させ、被加工物に衝突させて所望の加工を行う装置において、前記支持架台は、基部架台とこの基部架台に対し、偏向回転自在に設けられる可動架台とを具え、この可動架台によって、前記ブラストメディアと前記エア供給配管とを支持し、これによってメディアタンクとエア供給配管とを基部架台に対し偏向回転自在に構成したことを特徴として成るものである。
【０００６】
請求項２記載のサンドブラスト装置は、前記請求項１記載の要件に加え、前記メディアタンクとエア供給配管とは、平面投影状態において支持架台より張り出さないように配設されていることを特徴として成るものである。
【０００７】
請求項３記載のサンドブラスト装置は、前記請求項１または２記載の要件に加え、前記メディアタンクからのブラストメディアの吸い出し位置については、平面投影状態でのメディアタンク中央より偏寄した位置であることを特徴として成るものである。
【０００８】
請求項４記載のサンドブラスト装置は、前記請求項１、２または３記載の要件に加え、前記メディアタンクについては、細長の管状であり、且つこのものが傾斜状態に配設されていることを特徴として成るものである。
【０００９】
請求項５記載のサンドブラスト装置は、前記請求項１、２、３または４記載の要件に加え、前記基部架台については、ほぼ円盤状であり、その一部の周縁を切り欠いた切欠部を有することを特徴として成るものである。
【発明の効果】
【００１０】
まず請求項１記載の発明によれば、メディアタンクと、エア供給配管とを装置設置状態において旋回自在に構成していることから、ブラストメディアを被加工物に作用させるためのブラストホースもそれに伴い、偏向回転自在に向きを変えることができ、被加工物にブラストメディアを当てる際の状況が不自然とならず円滑な加工が可能となる。このことがひいてはブラストメディアを無駄なく被加工物に作用させることとなり、結果的にブラストメディアの用意すべき必要量を減らし、メディアタンクをはじめ、装置全体の小型化が達成できる。
【００１１】
また請求項２記載の発明によれば、エア供給配管等の補機類がメディアタンクに対し、上方から見て極端に張り出さない形態に収められるから、コンパクトな装置が得られる。このことは、墓石を被加工対象としたとき、墓石における竿石頭部を利用して、サンドブラスト装置を設置することができ、周辺に設置する適地がない場合でも確実な作業が行い得る。
【００１２】
また請求項３記載の発明によれば、ブラストメディアの吸い出し位置をメディアタンク中央よりずらすことにより、エア供給配管を構成する各部材を直列配置した際にメディアタンクに対して平面視での張り出しが抑えられ、更にコンパクトな設計に寄与する。
【００１３】
また請求項４記載の発明によれば、メディアタンクをスリムで且つコンパクトに構成でき、エア供給配管のレイアウトも合理的なものとすることができる。
【００１４】
また請求項５記載の発明によれば、被加工物として墓石を想定した場合に、本発明のサンドブラスト装置を竿石頂部に設置して作業するとき、補機としてのブラストボックスの使用にあたっての操作が円滑に行われる。
【図面の簡単な説明】
【００１５】
【図１】本発明のサンドブラスト装置の使用状態を示す斜視図である。
【図２】本発明のサンドブラスト装置を示す斜視図である。
【図３】同上一部破断側面図である。
【図４】同上装置のエア供給配管等をシンボル表記するとともに、作業状態を併せ示す側面図である。
【図５】同上装置における作動状態を更に拡大し得る実施例を示す縦断面図である。
【図６】本発明のサンドブラスト装置の更に他の実施例を示す側面図である。
【図７】本発明のサンドブラスト装置の更に他の実施例を示す側面図である。
【発明を実施するための形態】
【００１６】
本発明を実施するための形態は、以下述べる実施例をその一つとするものであるとともに、この技術思想に基づく種々の改良した実施例も含むものである。
【実施例１】
【００１７】
以下、本発明を図示の実施例に基づいて具体的に説明する。
符号Ａは、本発明たるサンドブラスト装置であって、構成する部材を大別すると、支持架台１と、この支持架台１に支持されるメディアタンク２と、メディアタンク２への高圧空気を供給給するエア供給配管３と、メディアタンク２内のブラストメディアＭを吸い出すブラストホースを主要部材とする。そしてこのサンドブラスト装置Ａに対して高圧空気を供給するため別途設けられるエアコンプレッサ６、及びブラスト加工時に用いられるブラストボックス７が別途作業時には必要とされる。なお図１に示す実施例においては、被加工物の一例として墓石８を示すものである。
【００１８】
まずサンドブラスト装置Ａの支持架台１について説明する。この支持架台１は、基部架台１１に対し、可動架台１２が回動軸１３においてブッシュ１４を挟んだ状態で偏向回転自在に組み合わされるものである。基部架台１１は、全体としてほぼ円盤状に広がった部材であり、一部周縁を直線的に切り欠いた切欠部１１Ａを具える。
また可動架台１２は、その上面に伸びるようにステー１２１を具え、このものがメディアタンク２を直接支持する。なお回動軸１３に対し、可動架台１２を組み付けるためのナット１３１は、適切な位置に締め込み位置を設定することにより可動架台１２を基部架台１１に対し偏向回転自在に組み合わせるものであるが、このナット１３１を過剰に締め付けることにより、基部架台１１と可動架台１２とが偏向回転しない固定状態に組み合わせることが可能である。
【００１９】
次にこのような支持架台１における可動架台１２に取り付けられているメディアタンク２について説明する。
このものは、一例として比較的細い管体が湾曲傾斜した形態で形成されるものであり、その内部を収容チャンバ２１とする。また、その上方にメディア補給口２２が設けられ、さらにそれに隣接してエア加圧口２３が設けられる。一方メディアタンク２の下方には、メディア送出口２４が形成される。そして前記メディア補給口２２に対しては、補給口キャップ２６をねじ込まれてこれを閉鎖するものであり、この補給口キャップ２６は、補給口キャップ２６にねじ込まれるキャップ部２６Ａと、その上方にＴ字型に延長形成されるハンドル２６Ｂとが一体となって形成されている。
なおこのようなハンドル２６Ｂの形状は、補給口キャップ２６の開閉操作を軽く容易に行えるようにするとともにサンドブラスト装置Ａを持ち運ぶ際の把手としても有効なものである。
【００２０】
次にメディアタンク２に対し、作動用の高圧空気を供給するエア供給配管３について説明する。
まずエア供給配管３の主要な一部であるエア供給本管３１は、一例としてメディアタンク２の下方に水平配置される。このものはエアを供給される端部から順にホースジョイント３１Ａ、チーズ管３１Ｂ、本管コック３１Ｃ、メディア吸い出しチーズ管３１Ｄを直列状態に接続させて成るものであり、エア流路としては直線流路を形成している。そして、メディアタンク２内におけるブラストメディアＭの送出量を調節するために前記メディアタンク２のメディア送出口２４には、送出口バルブ３２が接続され、このものの出口側端部は、前記エア供給本管３１におけるメディア吸い出しチーズ管３１Ｄに接続されている。
一方メディアタンク２の上方に開口するエア加圧口２３に対しては、加圧口コックユニット３３が接続される。このものはメディアタンク２におけるエア加圧口２３に直接接続されるチーズ管３３Ａに対し、その両側にエアコック３３Ｂ、排気コック３３Ｃとを対設している。このエアコック３３Ｂに対しては、前記エア供給本管３１から分岐するように取り付けられた加圧チューブ３４が接続されている。また排気コック３３Ｃの残余の開放端は、そのまま外気開放の状態とされている。
【００２１】
更にこのようなエア供給配管３におけるメディア吸い出しチーズ管３１Ｄの残余の一端部にはブラストホース５が接続される。このブラストホース５の先端には、例えばセラミック製の細口に絞ったブラストノズル５１が取り付けられ、ここからブラストメディアＭの噴出がなされ、被加工物たる例えば墓石８に対し、文字等の刻設作用をする。
【００２２】
このようなサンドブラスト装置Ａに対し、これを作動するため別途別体のエアコンプレッサ６が用意される。例えば図１に示すような既存の墓石に対する加工の場合、エアコンプレッサ６は、運搬の都合等で作業位置より離れた場所に設定され、そこから高圧のエア配管であるエアホース６１によりサンドブラスト装置Ａに対し、高圧空気を供給する。
また図１に示すように作業時における補機類としては、ブラストボックス７が用いられる。このものは、被加工物である墓石８の竿石８１に対し、墓誌８２を刻む場合にブラストメディアＭの飛散を防ぎ、周辺の汚染と作業者への安全衛生とを図るために用いるものであり、その詳細な構成自体は、既に本発明者が開発した特開２００５−５２９２２「ブラスト加工用保護装置」に開示された構成のものを一例として用いる。
【００２３】
本発明は、以上述べた具体的な構成を有し、また関連する諸機材を利用してブラスト加工をするものであり、以下その詳細な作動状態を説明する。
一般的にはエアコンプレッサ６によって、作動用空気を高圧状態に蓄圧し、その高圧空気をエアホース６１からサンドブラスト装置Ａにおけるエア供給配管３のホースジョイント３１Ａに接続して、サンドブラスト装置Ａに高圧空気を供給する。なおジョイントする作業においては、本管コック３１Ｃを閉鎖状態とし接続する。またこれを受け入れるサンドブラスト装置Ａの作業開始状態では、各種コック、バルブは閉状態とすることが好ましい。具体的には、エア供給配管３における本管コック３１Ｃ及び加圧口コックユニット３３におけるエアコック３３Ｂ、排気コック３３Ｃ及び送出口バルブ３２を閉状態としておく。
【００２４】
このような状態にしてエア供給配管３におけるエア供給本管３１の端部に高圧空気が供給された状態で、まず加圧口コックユニット３３におけるエアコック３３Ｂを開放する。これによって高圧空気がメディアタンク２内に送り込まれ、この中を高圧状態にする。結果的に収容チャンバ２１に収容されているブラストメディアＭに対し、メディアタンク２の一部が開放されたときにそこから押し出されるような作用を付与している。
【００２５】
このような状態で、まずエア供給本管３１における本管コック３１Ｃを開放する。そしてこの状態でメディアタンク２の下方に設けられている送出口バルブ３２を開放させてゆくと、その開度に応じてメディアタンク２のブラストメディアＭが内部の圧力により押し出されてゆくとともに、エア供給本管３１内をブラストホース５方向に向かって流れる高圧空気に吸い出され、これらの作用が相まってブラストホース５内にブラストメディアＭが送出され、ブラストノズル５１の先端から充分な作用圧力を持って噴出する。
このブラストノズル５１は、前述したようにブラストボックス７内に導かれており、ブラストボックス７に対して差し込まれた作業者の手作業によってブラスト加工がされ、墓石８に墓誌８２が形成される。もちろんこの手法は、常法に従い予め作成されたゴムパッド等に刻設する墓誌８２の文字を型抜きし、作業位置以外をいわばマスキングした状態で作業を行う。
【００２６】
この作業にあたって本発明の特徴的な作動としては、前記ブラストホース５を含み、例えばメディアタンク２、エア供給配管３は、支持架台１における基部架台１１に対しては偏向回転自在に設けられていることである。この作動により、作業者の動きに応じてブラストホース５の基部が図２に示すように自然に追従して旋回し、全体としては極めて作業が行い易い状態が得られる。
このようなサンドブラスト装置Ａ側における自然な動きは、作業者の自然な姿勢での作業を可能とするものであり、結果的に円滑なブラスト加工作業がなされ、ブラストメディアＭの消費を少なく抑えながらの作業が可能となる。
【００２７】
更にこのとき基部架台１１がほぼ円盤状であって、その外周縁の一部に切欠部１１Ａが設けられているときは、この切欠部１１Ａを次のように活用する。即ち、サンドブラスト装置Ａを墓石８の竿石８１の頂部を利用して設置して作業を行う場合に、この切欠部１１Ａを墓誌８２を刻設する側に合わせる。このように設置すれば、例えば図４に示すように竿石８１の上方寄りに墓誌８２を刻む場合であっても充分にブラストボックス７を上方にずらせることが可能となり、現場作業のし易さを著しく向上させるのである。
【００２８】
〔他の実施の形態〕
本発明は以上述べた実施の形態を一つの基本的な技術思想とするものであるが、更に次のような改変が考えられる。
まず図５に示すように、支持架台１は基部架台１１と可動架台１２との間が回転自在になっていたが、この回動軸１３を締め付けるナット１３１を先に述べたように更に締め込み自在としておき、基部架台１１と可動架台１２との両者の回転ができない、即ち固定状態にして用いることも可能である。作業場所によっては、このような作業形態が好ましい場合には、メディアタンク２やブラストホース５を偏向回転しない状態で用いることが好ましい。
また基部架台１１を単に竿石８１の頂部に載置するだけでなく、積極的にこれにクランプ取り付けするような手段を設けてもよい。
【００２９】
またメディアタンク２については、前記メディア送出口２４を平面視でメディアタンク２中央より外側に偏寄した位置に配置することにより、結果的にエア供給本管３１を構成するホースジョイント３１Ａからチーズ管３１Ｂ、本管コック３１Ｃ、メディア吸い出しチーズ管３１Ｄまでの一連の部材をメディアタンク２の下面にコンパクトに収めるようなレイアウトを採り得るようにしたものであるが、メディアタンク２自体は、図６に示すような一般的な丸筒型のものであってもよい。また細長管状のメディアタンク２とした場合、必ずしも湾曲形状とする必要はなく、図７に示すように直管状のメディアタンク２を斜めに傾けるように配設した形態であってもよい。このときエア供給配管３におけるエア供給本管３１についてもこれに沿って斜設するように設けることも可能である。
【符号の説明】
【００３０】
Ａ      サンドブラスト装置
Ｍ      ブラストメディア
１      支持架台
２      メディアタンク
３      エア供給配管
５      ブラストホース
１１    基部架台
１１Ａ  切欠部
１２    可動架台
１２１  ステー
１３    回動軸
１３１  ナット
１４    ブッシュ
２      メディアタンク
２１    収容チャンバ
２２    メディア補給口
２３    エア加圧口
２４    メディア送出口
２６    補給口キャップ
２６Ａ  キャップ部
２６Ｂ  ハンドル
３      エア供給配管
３１    エア供給本管
３１Ａ  ホースジョイント
３１Ｂ  チーズ管
３１Ｃ  本管コック
３１Ｄ  メディア吸い出しチーズ管
３２    送出口バルブ
３３    加圧口コックユニット
３３Ａ  チーズ管
３３Ｂ  エアコック
３３Ｃ  排気コック
３４    加圧チューブ
５      ブラストホース
５１    ブラストノズル
６      エアコンプレッサ
６１    エアホース
７      ブラストボックス
８      墓石
８１    竿石
８２    墓誌
【図１】
2010240763.tif 000003
【図２】
2010240763.tif 000004
【図３】
2010240763.tif 000005
【図４】
2010240763.tif 000006
【図５】
2010240763.tif 000007
【図６】
2010240763.tif 000008
【図７】
2010240763.tif 000009